(57)【特許請求の範囲】
【請求項１】
内部に収容空間が形成された箱体を有する冷蔵庫であって、
前記箱体の前記収容空間を仕切り、複数の冷却室を形成する仕切部材と、
前記複数の冷却室をそれぞれ開閉するための複数の扉と、
前記複数の扉のうち、隣接する二つの扉の間に設けられ、前記二つの扉の間の空間への空気の流入を遮るための遮断体と、を備え、
前記遮断体は、
硬質材で構成される取り付け部であって、前記隣接する二つの扉のいずれか一方に、ネジによって固定することで取り付けられる取り付け部と、
前記取り付け部から前記隣接する二つの扉の他方に向かって延びるひれ部と、を有し、  前記隣接する二つの扉のいずれか一方には、前記取り付け部を取り付けるための凹部が形成されることを特徴とする冷蔵庫。
【請求項２】
前記ひれ部は、軟質材で構成されることを特徴とする、請求項１に記載の冷蔵庫。
【請求項３】
前記遮断体は、前記隣接する二つの扉の幅方向に沿って設けられることを特徴とする、請求項１又は２に記載の冷蔵庫。
【請求項４】
前記遮断体は、前記隣接する二つの扉の幅方向および奥行方向に沿って設けられることを特徴とする、請求項１又は２に記載の冷蔵庫。
【請求項５】
前記遮断体のひれ部には、複数の切れ込みが形成されることを特徴とする、請求項１〜４のいずれか一項に記載の冷蔵庫。
【請求項６】
前記冷蔵庫は、前記仕切部材の前面と当接し、前記複数の冷却室を前記複数の扉でそれぞれ密閉するためのガスケットであって、前記複数の扉に取り付けられる複数のガスケットをさらに備え、
前記隣接する二つの扉のいずれか一方に取り付けられる前記ガスケットは、前記隣接する二つの扉の他方に向かって延びる突出部を有することを特徴とする、請求項１〜５のいずれか一項に記載の冷蔵庫。
【請求項７】
内部に収容空間が形成された箱体を有する冷蔵庫であって、
前記箱体の前記収容空間を仕切り、複数の冷却室を形成する仕切部材と、
前記複数の冷却室をそれぞれ開閉するための複数の扉と、
前記複数の扉のうち、隣接する二つの扉の間に設けられ、前記二つの扉の間の空間への空気の流入を遮るための遮断体と、を備え、
前記遮断体は、
硬質材で構成される取り付け部であって、前記隣接する二つの扉のいずれか一方に、固定部材によって固定することで取り付けられる取り付け部と、
前記取り付け部から前記隣接する二つの扉の他方に向かって延びるひれ部と、を有し、
前記隣接する二つの扉のいずれか一方には、前記取り付け部を取り付けるための凹部が形成され、
前記取り付け部は、前記凹部から突出しないように嵌め込まれることを特徴とする冷蔵庫。
【請求項８】
内部に収容空間が形成された箱体を有する冷蔵庫であって、
前記箱体の前記収容空間を仕切り、複数の冷却室を形成する仕切部材と、
前記複数の冷却室をそれぞれ開閉するための複数の扉と、
前記複数の扉のうち、隣接する二つの扉の間に設けられ、前記二つの扉の間の空間への空気の流入を遮るための遮断体と、を備え、
前記遮断体は、
硬質材で構成される取り付け部であって、前記隣接する二つの扉のいずれか一方に、固定部材によって固定することで取り付けられる取り付け部と、
前記取り付け部から前記隣接する二つの扉の他方に向かって延びるひれ部と、を有し、
前記隣接する二つの扉のいずれか一方には、前記取り付け部を取り付けるための凹部が形成されており、
前記遮断体は、前記隣接する二つの扉の幅方向および奥行方向に沿って設けられることを特徴とする冷蔵庫。
【請求項９】
前記遮断体は、前記隣接する二つの扉の間の空間を囲うよう配置されることを特徴とする、請求項１〜８のいずれか一項に記載の冷蔵庫。
【発明の詳細な説明】
【技術分野】
【０００１】
本発明は、冷蔵庫に関し、特に隣接する複数の扉を備える冷蔵庫に関する。
【背景技術】
【０００２】
一般的な冷蔵庫では、箱体の内部が仕切部材によって仕切られることで、複数の冷蔵室および冷凍室が形成される。冷蔵室および冷凍室は、冷蔵室扉および冷凍室扉によってそれぞれ開閉自在に閉塞される。隣接する扉の間には、開閉時の接触を防止するために空間が設けられている。従来の冷蔵庫では、この扉間の空間に外部から高温多湿の空気が入り込み、冷蔵庫内と入り込んだ外気との温度差から、扉間に露が付き易くなるといった問題点があった。
【０００３】
このような問題点を解決するため、特許文献１では、隣接する扉間の空間に、外部からの空気の流れを遮るための遮断体を設けることが開示されている。詳しくは、特許文献１に記載される冷蔵庫では、隣接する二つの扉のうち、上側に位置する扉の下面の前端部に、下方向（すなわち下側に位置する扉に向かって）に延びるひれ状の遮断体が設けられている。遮断体は扉の幅方向に延在し、これにより、扉間の空間への外部からの空気の流入が遮られ、扉間における露付きが抑制される。
【先行技術文献】
【特許文献】
【０００４】
【特許文献１】特開平１１−１６６７８７号公報（図１参照）
【発明の概要】
【発明が解決しようとする課題】
【０００５】
ここで、扉間に設けられる遮断体は、扉の開閉を妨げないように軟質材で構成されることが望ましい。また、扉を開閉する際に、障害物と干渉することなどによって脱落することがないよう、十分な強度で確実に扉に取り付ける必要がある。しかしながら、特許文献１には、遮断体の扉への具体的な取り付け構造については開示されておらず、遮断体の取り付け構造に関して課題が残っている。
【０００６】
本発明はこのような課題を鑑み、扉間の空間への外部の空気の流れを遮るための遮断体を確実に扉に取り付け、十分な強度および耐久性を持たせることが可能な冷蔵庫を提供することを目的とする。
【課題を解決するための手段】
【０００７】
本発明に係る冷蔵庫は、内部に収容空間が形成された箱体を有する冷蔵庫であって、箱体の収容空間を仕切り、複数の冷却室を形成する仕切部材と、複数の冷却室をそれぞれ開閉するための複数の扉と、複数の扉のうち、隣接する二つの扉の間に設けられ、二つの扉の間の空間への空気の流入を遮るための遮断体と、を備え、遮断体は、硬質材で構成される取り付け部であって、隣接する二つの扉のいずれか一方に、ネジによって固定することで取り付けられる取り付け部と、取り付け部から隣接する二つの扉の他方に向かって延びるひれ部と、を有し、隣接する二つの扉のいずれか一方には、取り付け部を取り付けるための凹部が形成されるものである。
【発明の効果】
【０００８】
本発明に係る冷蔵庫は、遮断体を有することで扉間の空間への空気の流れを遮り、扉間の露付きを抑制できるとともに、遮断体を脱落することがないよう、十分な強度で扉に取り付けることが可能となる。
【図面の簡単な説明】
【０００９】
【図１】本発明の実施の形態１における冷蔵庫の正面図である。
【図２】本発明の実施の形態１における扉間構造を示す、図１の冷蔵庫のＡ−Ａ断面図である。
【図３】本発明の実施の形態１における遮断体の取り付け構造を示す斜視図である。
【図４】本発明の実施の形態２における遮断体の取り付け構造を示す斜視図である。
【図５】本発明の実施の形態３における遮断体の取り付け構造を示す斜視図である。
【図６】本発明の実施の形態４における扉間構造を示す断面図である。
【発明を実施するための形態】
【００１０】
以下に、本発明における冷蔵庫の実施の形態を、図面に基づいて詳細に説明する。
【００１１】
実施の形態１．
図１は、本発明の実施の形態１における冷蔵庫１の正面図である。冷蔵庫１は、間冷式の冷蔵庫であり、鋼板製の外箱および樹脂製の内箱（本発明の「箱体」に相当）を有し、外箱と内箱との間に断熱材が発泡充填されて構成される。また、冷蔵庫１の内部の収容空間には、冷蔵室２、製氷室３、切替室４、冷凍室５および野菜室６の５種の冷却室が形成される。冷蔵室２、製氷室３、切替室４、冷凍室５および野菜室６は、それぞれ仕切部材（図２）によって仕切られ、断熱されている。
【００１２】
また、冷蔵室２、製氷室３、切替室４、冷凍室５および野菜室６の前面には、それぞれ冷蔵室扉７および８、製氷室扉９、切替室扉１０、冷凍室扉１１ならびに野菜室扉１２が設置されており、これらの扉によって冷蔵室２、製氷室３、切替室４、冷凍室５および野菜室６が開閉可能に閉塞される。なお、冷蔵室扉７および８は、観音開き式の回転扉であり、製氷室扉９、切替室扉１０、冷凍室扉１１および野菜室扉１２は引出し式の扉である。
【００１３】
次に、本実施の形態の冷蔵庫１における、隣接する扉の扉間構造について、冷凍室扉１１および野菜室扉１２を例に、図２を参照して説明する。図２は、図１に示す冷蔵庫１のＡ−Ａ断面図である。
【００１４】
図２に示すように、冷凍室扉１１および野菜室扉１２の後面における周縁部には、ガスケット１５および１６がそれぞれ取り付けられている。また、ガスケット１５および１６には、マグネット１３および１４がそれぞれ埋設されている。冷凍室５と野菜室６は、仕切部材１７によって断熱仕切りされており、仕切部材１７の前面には、金属板１８が設置されている。冷凍室扉１１および野菜室扉１２が閉じられると、ガスケット１５および１６がマグネット１３および１４によって仕切部材１７の金属板１８と当接し、冷凍室扉１１および野菜室扉１２と仕切部材１７とが密着する。これにより、冷凍室５および野菜室６を密閉した状態に保つ構造となっている。
【００１５】
また、仕切部材１７の前端部には冷凍サイクルの放熱パイプ１９が、パイプ抑え（図示せず）によって金属板１８の後面に接触するよう埋設されている。放熱パイプ１９は、冷蔵庫１の冷凍サイクルの圧縮機（図示せず）がＯＮになると放熱し、仕切部材１７の前面部への露付きを防止する。ここで、圧縮機がＯＦＦになった場合、仕切部材１７は、冷凍室５と野菜室６内の冷気により冷却されるため、仕切部材１７付近の空気は冷却される。このとき、冷凍室扉１１および野菜室扉１２の間の空間ＳＰに外部から高温多湿の空気が流入すると、温度差によって扉間（すなわち冷凍室扉１１の下面と野菜室扉１２の上面との間の空間）に露が付着し易くなる。その後、圧縮機がＯＮになると、放熱パイプ１９によって、仕切部材１７の温度は上昇するものの、冷凍室扉１１のガスケット１５が庫内の冷気により冷却されているため、冷凍室扉１１と野菜室扉１２に付着した露へは熱が伝わり難くなり、露が除去され難い。
【００１６】
そこで、空間ＳＰへの外気の流入を抑制するため、冷凍室扉１１の下面１１０の前端近傍には、遮断体２０が設けられる。なお、遮断体２０は、冷凍室扉１１の下面１１０の前端に設けても良い。図２に示すように、遮断体２０は、断面がＬ字形状に成形された部材であり、冷凍室扉１１の下面１１０に取り付けられる取り付け部２０ａと、取り付け部２０ａから野菜室扉１２の上面に向かって垂直に延び、野菜室扉１２の上面の直前で終端するひれ部２０ｂとからなる。遮断体２０は冷凍室扉１１の下面１１０の幅方向に延び、冷凍室扉１１と野菜室扉１２との間の空間ＳＰを前後方向に仕切るように設けられる。これにより、冷凍サイクルの圧縮機がＯＦＦの場合にも、空間ＳＰに前方向から湿った外気が流入することが抑制され、扉間の空間ＳＰの温度が低い箇所（例えば野菜室扉１２の上面）に露が付着することを抑えることができる。
【００１７】
遮断体２０のひれ部２０ｂは、例えば軟質塩ビ等の軟質材からなる。このように、ひれ部２０ｂに軟質塩ビ等の軟質材を使用することにより、扉の開閉動作により、遮断体２０と下側の扉（図２の例の場合における野菜室扉１２）の上面が接しても、扉の上面に傷をつけることがほとんど無い。また、引出し式の扉として、扉を閉める際に自閉するための段差を備え、扉の開閉動作の際に数ｍｍ（例えば２ｍｍ）上方向に上がる構成の引出し式扉が知られている。このような引き出し式扉が、野菜室扉１２として用いた場合においても、ひれ部２０ｂを軟質材で構成することで、開閉動作をスムーズにすることができる。
【００１８】
続いて、本実施の形態における遮断体２０の取り付け構造について、図３を参照して説明する。図３は、遮断体２０の取り付け構造を示す斜視図である。本実施の形態において、遮断体２０の取り付け部２０ａは、例えば硬質塩ビ等の硬質材からなり、取り付け部２０ａには複数（図３の例では５個）の貫通穴２２０が形成される。また、冷凍室扉１１の下面１１０には、遮断体２０の取り付け部２０ａを取り付けるための凹部１１５が形成され、凹部１１５には、複数のネジ穴１１６（図３の例では５個）が形成される。取り付け部２０ａを冷凍室扉１１の凹部１１５にはめ込み、貫通穴２２０を介して、ネジ２２をネジ穴１１６に取り付けることによって、遮断体２０が冷凍室扉１１の下面１１０に固定される。
【００１９】
このように、本実施の形態では、取り付け部２０ａを硬質材で構成することで、ネジ等の固定部材を用いて遮断体２０を冷凍室扉１１に十分な強度で固定することが可能になる。また、遮断体２０が取り付けられる冷凍室扉１１の下面１１０に凹部１１５を設け、当該凹部１１５に取り付け部２０ａをはめ込むことで、正面からの外観がすっきりするとともに、取り付け部２０ａへの干渉を抑制し、遮断体２０の耐久性が向上する。さらに、遮断体２０を容易に扉に取り付けることができるため、遮断体２０の取り付け作業の作業性が向上し、また作業時間を短縮させることが可能となる。また、扉の開閉の際に、干渉によってひれ部２０ｂが損傷した場合等には、遮断体２０を容易に交換することができ、見栄えが悪くなることも無い。
【００２０】
実施の形態２．
本発明の実施の形態２について、図４を参照して説明する。図４は、実施の形態２における遮断体２３の取り付け構造を示す斜視図である。なお、実施の形態２は、遮断体２３および冷凍室扉１１の下面１１０Ａの構成において実施の形態１と相違する。その他の構成は、実施の形態１と同様である。
【００２１】
図４に示すように、本実施の形態の遮断体２３の取り付け部２３ａは、平面視で略Ｕ字形状を有している。そして、取り付け部２３ａからひれ部２３ｂが垂直に延びて形成される。また、冷凍室扉１１の下面１１０Ａには、Ｕ字形状の取り付け部２３ａに対応する形状を有する凹部１１５Ａが形成され、遮断体２３は、実施の形態１と同様に、冷凍室扉１１の下面１１０Ａにネジ２２によって取り付けられる。
【００２２】
このように、本実施の形態では、遮断体２３が冷凍室扉１１の下面１１０Ａの幅方向だけでなく、奥行き方向にも延在するよう設けられる。これにより、冷凍室扉１１と野菜室扉１２の間の空間ＳＰへの前方向からの外気の流入だけでなく、左右方向からの空気の流入をも遮ることが可能となる。さらに、遮断体２３によって空間ＳＰを囲うことで、空間ＳＰに空気層が形成され、断熱効果を得ることもできる。これにより、扉間の露の付着をより一層抑制することが可能となる。
【００２３】
実施の形態３．
本発明の実施の形態３について、図５を参照して説明する。図５は、実施の形態３における遮断体２４の取り付け構造を示す斜視図である。なお、実施の形態３は、遮断体２４の構成において、実施の形態２と相違する。その他の構成は、実施の形態２と同様である。
【００２４】
図５に示すように、本実施の形態の遮断体２４の取り付け部２４ａは、実施の形態２の取り付け部２３ａと同様に、平面視で略コの字形状を有している。そして、取り付け部２４ａからひれ部２４ｂが垂直に延びて形成される。遮断体２４は、実施の形態２と同様に、凹部１１５Ａが形成された冷凍室扉１１の下面１１０Ａにネジ２２によって取り付けられる。
【００２５】
さらに、本実施の形態の遮断体２４のひれ部２４ｂには、複数の切れ込み２５が等間隔に形成される。このように、ひれ部２４ｂに切れ込み２５を形成することで、冷凍室扉１１を開閉する際に、障害物等に干渉した場合の負荷を低減させることができる。これにより、遮断体２４の耐久性をさらに向上させることが可能となる。
【００２６】
実施の形態４．
本発明の実施の形態４について、図６を参照して説明する。図６は本実施の形態における冷蔵庫１の扉間構造を示す断面図である。なお、実施の形態４は、冷凍室扉１１に取り付けられるガスケット２６の構成において、実施の形態１と相違する。その他の構成は、実施の形態１と同様である。
【００２７】
本実施の形態において、冷凍室扉１１の後面に取り付けられるガスケット２６には、野菜室扉１２の上面に向かって突出するひれ部２７が形成される。ガスケット２６のひれ部２７は、野菜室扉１２の上面に接する位置を０ｍｍとした場合、例えば＋２ｍｍ等、野菜室扉１２にかかるように延びていてもよい。また、ひれ部２７は、冷凍室扉１１の下面１１０の幅方向に延在する。このように構成することにより、遮断体２０によって扉間の空間ＳＰへの外気の流れを遮るとともに、仕切部材１７側の冷気が空間ＳＰへ流出することを抑制することができる。これにより、扉間の露の付着をより一層抑制することが可能となる。
【００２８】
以上が本発明の実施の形態の説明であるが、本発明は、上記の実施の形態の構成に限定されるものではなく、その技術的思想の範囲内で様々な変形や組み合わせが可能である。例えば、上記実施の形態においては、冷蔵庫１は５つの冷却室および対応する扉を備える構成となっているが、これに限定されるものではない。また、遮断体２０、２３および２４は、引出し式扉の下面に取り付けられるものに限定されず、観音開き式の回転式扉の下面にも取り付けることが可能である。さらに、遮断体２０、２３および２４を、下側に位置する野菜室扉１２の上面に取り付けることも可能である。この場合は、野菜室扉１２の上面に、遮断体２０を取り付けるための凹部が形成される。
【００２９】
また、実施の形態１における遮断体２０のひれ部２０ｂ、または実施の形態４におけるガスケット２６のひれ部２７に、実施の形態３における切れ込み２５を形成してもよい。さらに、実施の形態４において、遮断体２０に替えて、実施の形態２および３の遮断体２３または２４を用いることも可能である。また、遮断体２０、２３および２４の取り付け部２０ａ、２３ａおよび２４ａの材質は硬質塩ビ等に限定されず、硬度の高い軟質塩ビ等でもよい。
【００３０】
さらに、上記実施の形態では、上下方向に隣接する冷凍室扉１１および野菜室扉１２の間の空間ＳＰに遮断体２０、２３または２４を設ける構成としたが、これに限定されるものではなく、左右方向に隣接する扉（例えば、製氷室扉９および切替室扉１０）の間の空間に遮断体２０、２３または２４を設けることも可能である。
【符号の説明】
【００３１】
１  冷蔵庫、２  冷蔵室、３  製氷室、４  切替室、５  冷凍室、６  野菜室、７、８  冷蔵室扉、９  製氷室扉、１０  切替室扉、１１  冷凍室扉、１２  野菜室扉、１３、１４  マグネット、１５、１６、２６  ガスケット、１７  仕切部材、１８  金属板、１９  放熱パイプ、２０、２３、２４  遮断体、２０ａ、２３ａ、２４ａ  取り付け部、２０ｂ、２３ｂ、２４ｂ、２７  ひれ部、２２  ネジ、２５  切れ込み、１１０、１１０Ａ  下面、１１５、１１５Ａ  凹部、１１６  ネジ穴、２２０  貫通穴、ＳＰ  空間。
【図１】
0006305251.tif 000002
【図２】
0006305251.tif 000003
【図３】
0006305251.tif 000004
【図４】
0006305251.tif 000005
【図５】
0006305251.tif 000006
【図６】
0006305251.tif 000007